(57)【要約】【課題】指定される装置が実行可能な処理に応じて、指定される処理をその装置と分担して実行することができる情報処理装置、情報処理システム及びプログラムを提供する。【解決手段】指定情報取得部３０が、実行すべき一連の処理を指定する処理指定情報と、一連の処理のうちの一部の処理を分担して実行すべき装置を指定する装置指定情報と、を含む指定情報を取得する。処理実行部３８が、装置指定情報により指定される装置が実行可能な処理に応じた、処理指定情報により指定される一連の処理のうち自装置で実行すべき処理を実行する。【選択図】図３
2011022835.tif 000002
【特許請求の範囲】
【請求項１】
実行すべき一連の処理を指定する処理指定情報と、前記一連の処理のうちの一部の処理を分担して実行すべき装置を指定する装置指定情報と、を含む指定情報を取得する指定情報取得手段と、
前記装置指定情報により指定される装置が実行可能な処理に応じた、前記処理指定情報により指定される一連の処理のうち自装置で実行すべき処理を実行する処理実行手段と、
を含むことを特徴とする情報処理装置。
【請求項２】
前記装置指定情報により指定される装置が実行可能な処理に基づいて、前記処理指定情報により指定される一連の処理のうちの一部が記述された処理記述情報を生成する処理記述情報生成手段、をさらに含み、
前記処理実行手段が、前記装置指定情報により指定される装置に対し前記処理記述情報生成手段で生成された処理記述情報に記述された処理を実行させる、
ことを特徴とする請求項１に記載の情報処理装置。
【請求項３】
前記指定情報取得手段が、実行すべき複数の処理を指定する処理指定情報を含む前記指定情報を取得して、
前記処理記述情報生成手段が、前記複数の処理のうちの前記情報処理装置で実行される処理が記述された前記処理記述情報と、前記複数の処理のうちの前記装置指定情報により指定される装置で実行される処理が記述された前記処理記述情報と、を生成する、
ことを特徴とする請求項２に記載の情報処理装置。
【請求項４】
情報処理装置と、前記情報処理装置に接続された少なくとも１つの接続先装置と、を備え、
前記情報処理装置が、
実行すべき一連の処理を指定する処理指定情報と、前記一連の処理のうちの一部の処理を分担して実行すべき接続先装置を指定する装置指定情報と、を含む指定情報を取得する指定情報取得手段と、
前記装置指定情報により指定される接続先装置が実行可能な処理に応じた、前記処理指定情報により指定される一連の処理のうち前記情報処理装置で実行すべき処理を実行する処理実行手段と、を含み、
前記各接続先装置が、
前記装置指定情報により指定される際に、前記処理指定情報により指定される一連の処理のうち当該接続先装置で実行すべき処理を実行する処理実行手段を含む、
ことを特徴とする情報処理システム。
【請求項５】
実行すべき一連の処理を指定する処理指定情報と、前記一連の処理のうちの一部の処理を分担して実行すべき装置を指定する装置指定情報と、を含む指定情報を取得する指定情報取得手段、
前記装置指定情報により指定される装置が実行可能な処理に応じた、前記処理指定情報により指定される一連の処理のうち自装置で実行すべき処理を実行する処理実行手段、
としてコンピュータを機能させることを特徴とするプログラム。
【発明の詳細な説明】
【技術分野】
【０００１】
本発明は、情報処理装置、情報処理システム及びプログラムに関する。
【背景技術】
【０００２】
接続された装置と連携して要求された処理を実行する情報処理装置が存在する。特許文献１には、画像処理などの処理を行う際に、その処理を実行可能なサーバを検索して、検索されたサーバに処理を実行させる技術が開示されている。
【先行技術文献】
【特許文献】
【０００３】
【特許文献１】特開２００４−２４０８６４号公報
【発明の概要】
【発明が解決しようとする課題】
【０００４】
本発明は、指定される装置が実行可能な処理に応じて、指定される処理をその装置と分担して実行することができる情報処理装置、情報処理システム及びプログラムを提供することを目的とする。
【課題を解決するための手段】
【０００５】
請求項１に記載の発明は、情報処理装置であって、実行すべき一連の処理を指定する処理指定情報と、前記一連の処理のうちの一部の処理を分担して実行すべき装置を指定する装置指定情報と、を含む指定情報を取得する指定情報取得手段と、前記装置指定情報により指定される装置が実行可能な処理に応じた、前記処理指定情報により指定される一連の処理のうち自装置で実行すべき処理を実行する処理実行手段と、を含むこととしたものである。
【０００６】
請求項２に記載の発明は、請求項１に記載の情報処理装置であって、前記装置指定情報により指定される装置が実行可能な処理に基づいて、前記処理指定情報により指定される一連の処理のうちの一部が記述された処理記述情報を生成する処理記述情報生成手段をさらに含み、前記処理実行手段が、前記装置指定情報により指定される装置に対し前記処理記述情報生成手段で生成された処理記述情報に記述された処理を実行させることとしたものである。
【０００７】
請求項３に記載の発明は、請求項２に記載の情報処理装置であって、前記指定情報取得手段が、実行すべき複数の処理を指定する処理指定情報を含む前記指定情報を取得して、前記処理記述情報生成手段が、前記複数の処理のうちの前記情報処理装置で実行される処理が記述された前記処理記述情報と、前記複数の処理のうちの前記装置指定情報により指定される装置で実行される処理が記述された前記処理記述情報と、を生成することとしたものである。
【０００８】
請求項４に記載の発明は、情報処理システムであって、情報処理装置と、前記情報処理装置に接続された少なくとも１つの接続先装置と、を備え、前記情報処理装置が、実行すべき一連の処理を指定する処理指定情報と、前記一連の処理のうちの一部の処理を分担して実行すべき接続先装置を指定する装置指定情報と、を含む指定情報を取得する指定情報取得手段と、前記装置指定情報により指定される接続先装置が実行可能な処理に応じた、前記処理指定情報により指定される一連の処理のうち前記情報処理装置で実行すべき処理を実行する処理実行手段とを含み、前記各接続先装置が、前記装置指定情報により指定される際に、前記処理指定情報により指定される一連の処理のうち当該接続先装置で実行すべき処理を実行する処理実行手段を含むこととしたものである。
【０００９】
請求項５に記載の発明は、プログラムであって、実行すべき一連の処理を指定する処理指定情報と、前記一連の処理のうちの一部の処理を分担して実行すべき装置を指定する装置指定情報と、を含む指定情報を取得する指定情報取得手段、前記装置指定情報により指定される装置が実行可能な処理に応じた、前記処理指定情報により指定される一連の処理のうち自装置で実行すべき処理を実行する処理実行手段、としてコンピュータを機能させることとしたものである。
【発明の効果】
【００１０】
請求項１，４，５に記載の発明によれば、指定される一連の処理を、指定される装置との間で分担して実行することができる。
【００１１】
請求項２に記載の発明によれば、指定される一連の処理を、指定される装置が実行可能な処理をこの装置に分担させて実行することができる。
【００１２】
請求項３に記載の発明によれば、処理の実行が分担される装置毎に処理記述情報が生成される。
【図面の簡単な説明】
【００１３】
【図１】本発明の一実施形態に係る情報処理システムの構成の一例を示す図である。
【図２】本発明の一実施形態に係る情報処理装置のハードウェア構成の一例を示す図である。
【図３】本発明の一実施形態に係る情報処理システムにより実現される機能の一例を示す機能ブロック図である。
【図４】本実施形態に係る情報処理システムで行われる処理の流れの一例を示すフロー図である。
【図５】処理指定画面の一例を示す図である。
【図６】特定情報のデータ構造の一例を示す図である。
【図７】処理記述情報のデータ構造の一例を示す図である。
【図８】処理記述情報のデータ構造の一例を示す図である。
【発明を実施するための形態】
【００１４】
以下、本発明の一実施形態について図面に基づき詳細に説明する。
【００１５】
図１は、本実施形態に係る情報処理システム１０の構成の一例を示す図である。図１に例示するように、本実施形態に係る情報処理システム１０は、情報処理装置１２と、画像処理装置１４（１４−１〜１４−ｎ）と、を含んで構成される。情報処理装置１２と画像処理装置１４とは、例えば、ＬＡＮ等の通信手段に接続されており、互いに通信されるようになっている。図１に例示する画像処理装置１４は、例えば、ＣＰＵ等の制御装置、ハードディスク等の記憶装置、タッチパネル等の入出力装置、ネットワークボード等の通信装置、スキャナ、プリンタ、ファクシミリ送受信装置、複写機などを含んで構成されている。
【００１６】
図２は、本実施形態に係る情報処理装置１２のハードウェア構成の一例を示す図である。図２に例示するように、本実施形態に係る情報処理装置１２は、例えば、制御部２０、記憶部２２、ユーザインタフェース（ＵＩ）部２４、通信部２６、を含んでいる。これらの要素は、バスなどを介して接続される。制御部２０は、ＣＰＵ等のプログラム制御デバイスであり、情報処理装置１２にインストールされるプログラムに従って動作する。記憶部２２は、ＲＯＭやＲＡＭ等の記憶素子やハードディスクなどである。記憶部２２には、制御部２０によって実行されるプログラムなどが記憶される。また、記憶部２２は、制御部２０のワークメモリとしても動作する。ＵＩ部２４は、ディスプレイ、キーボード、マウス、スピーカー、マイク、などであり、利用者が行った操作の内容や、利用者が入力した音声を制御部２０に出力する。また、このＵＩ部２４は、制御部２０から入力される指示に従って情報を表示出力したり音声出力したりする。通信部２６は、ＬＡＮカード等の通信インタフェースであり、画像処理装置１４との間で情報の送受信を行う。このように、本実施形態では、情報処理装置１２と画像処理装置１４とが接続されている。
【００１７】
図３は、本実施形態に係る情報処理システム１０により実現される機能の一例を示す機能ブロック図である。図３に例示するように、本実施形態では、情報処理装置１２は、例えば、指定情報取得部３０と、特定情報取得部３２と、処理記述情報生成部３４と、処理記述情報記憶部３６と、処理実行部３８と、を含むものとして機能する。処理記述情報記憶部３６は、情報処理装置１２の記憶部２２を主として実現される。その他の要素は情報処理装置１２の制御部２０を主として実現される。
【００１８】
また、図３に例示するように、本実施形態では、画像処理装置１４は、例えば、特定情報記憶部４０と、処理記述情報記憶部４２、処理実行部４４と、を含むものとして機能する。特定情報記憶部４０と、処理記述情報記憶部４２とは、画像処理装置１４が備える記憶装置を主として実現される。その他の要素は画像処理装置１４が備える制御装置を主として実現される。
【００１９】
これらの要素は、コンピュータである情報処理装置１２や画像処理装置１４にインストールされたプログラムを、情報処理装置１２の制御部２０や画像処理装置１４が備える制御装置で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して情報処理装置１２や画像処理装置１４に供給される。
【００２０】
ここで、本実施形態に係る情報処理システム１０で行われる処理の流れの一例を、図４に例示するフロー図を参照しながら説明する。
【００２１】
まず、指定情報取得部３０が、図５に例示する処理指定画面４６を表示出力する（Ｓ１０１）。図５は、処理指定画面４６の一例を示す図である。図５に例示するように、処理指定画面４６は、少なくとも１つの処理それぞれの内容が表示された処理内容表示部４８と、処理内容表示部４８と関連づけられているラジオボタン５０と、処理の分担先となる装置（本実施形態では、情報処理装置１２と分担して処理を実行する画像処理装置１４）の識別子や名称などといった、装置を指定する情報（本実施形態では、例えば、画像処理装置１４の名称）の入力を受け付ける指定フォーム５２と、処理記述情報生成ボタン５４と、を含んでいる。なお、処理内容表示部４８に表示される処理の内容を示す処理内容情報が、例えば、予め、情報処理装置１２の記憶部２２に記憶されていてもよい。
【００２２】
ここで、利用者が、実行を希望する処理の内容が表示された処理内容表示部４８に関連づけられているラジオボタン５０をクリックして、処理の分担先となる画像処理装置１４の名称を指定フォーム５２に入力して、処理記述情報生成ボタン５４を押下すると、指定情報取得部３０が、ラジオボタン５０に対応する処理（実行すべき処理）を指定する処理指定情報と、指定フォーム５２に入力された名称に対応する画像処理装置１４を指定する装置指定情報と、を含む指定情報を取得する（Ｓ１０２）。本処理例では、指定情報取得部３０は、例えば、「原稿をスキャンして、ノイズ除去後に、ＯＣＲ処理を行って、検索可能なＰＤＦに変換した上で、フォルダに出力する」という一連の処理（すなわち、スキャン、ノイズ除去、ＯＣＲ処理、ＰＤＦ変換、フォルダ出力という複数の処理から構成されている一連の処理）を指定する処理指定情報と、第２の画像処理装置１４−２を指定する装置指定情報と、を含む指定情報を取得する。
【００２３】
そして、特定情報取得部３２が、装置指定情報により指定された画像処理装置１４を特定して、その画像処理装置１４の特定情報記憶部４０に記憶されている、その画像処理装置１４により実行可能な処理を特定する特定情報５６（図６参照）を取得する（Ｓ１０３）。特定情報取得部３２は、特定情報５６を、例えば、ＳＯＡＰのメッセージとして取得する。図６は、特定情報５６のデータ構造の一例を示す図である。本実施形態では、例えば、特定情報記憶部４０に、特定情報５６が予め記憶されている。なお、図６（ａ）は、第１の画像処理装置１４−１の特定情報記憶部４０に記憶されている特定情報５６のデータ構造の一例を示しており、図６（ｂ）は、第２の画像処理装置１４−２の特定情報記憶部４０に記憶されている特定情報５６のデータ構造の一例を示している。図６に例示されているように、特定情報５６は、本実施形態では、例えば、処理に対応する機能の名称を示す機能名情報５８と、その機能に対応する処理の実行可否を示す実行可否情報６０と、を含んでいる。図６（ａ）に例示されている特定情報５６には、具体的には、例えば、特定情報５６の取得先となる画像処理装置１４（例えば、第１の画像処理装置１４−１）では、スキャンは可能であるが、ＯＣＲ処理が実行可能ではないということなどが示されている。また、図６（ｂ）に例示されている特定情報５６には、具体的には、例えば、特定情報５６の取得先となる画像処理装置１４（例えば、第２の画像処理装置１４−２）では、スキャンやＯＣＲ処理が実行可能であるということなどが示されている。本処理例では、特定情報取得部３２は、例えば、図６（ｂ）に例示する特定情報５６を第２の画像処理装置１４−２から取得する。
【００２４】
そして、処理記述情報生成部３４が、Ｓ１０３に例示する処理で取得された特定情報５６に基づいて、分担先の画像処理装置１４と情報処理装置１２との間での処理の実行分担を決定する（Ｓ１０４）。本実施形態では、処理記述情報生成部３４は、例えば、第２の画像処理装置１４−２から取得した特定情報５６に基づいて、第２の画像処理装置１４−２において、スキャン、ノイズ除去、ＯＣＲ処理、ＰＤＦ変換が実行可能であるということを判断して、この判断結果に基づいて、スキャン、ノイズ除去、ＯＣＲ処理、ＰＤＦ変換、については、第２の画像処理装置１４−２で実行して、フォルダ出力については、情報処理装置１２で実行するということを決定する。
【００２５】
そして、処理記述情報生成部３４が、装置指定情報により指定される装置（本実施形態では、例えば、画像処理装置１４）が実行可能な処理に基づいて、処理指定情報により指定される処理が記述された処理記述情報６２（図７参照）を生成する（Ｓ１０５）。図７は、処理記述情報６２のデータ構造の一例を示す図である。処理記述情報６２は、例えば、利用者から要求される処理の識別子である要求処理識別子６４と、その要求に応じて実行される処理に対応する機能の名称を示す実行処理対応機能名情報６６と、を含んでいる。なお、図７（ａ）は、情報処理装置１２の利用に供される処理記述情報６２（例えば、フォルダ出力を記述する処理記述情報６２）のデータ構造の一例を示しており、図７（ｂ）は、第２の画像処理装置１４−２の利用に供される処理記述情報６２（例えば、スキャン、ノイズ除去、ＯＣＲ処理、ＰＤＦ変換を記述する処理記述情報６２）のデータ構造の一例を示している。本処理例では、処理記述情報生成部３４は、例えば、Ｓ１０４に例示する処理で決定された実行分担に従って、図７に例示する２つの処理記述情報６２を生成する。なお、処理記述情報６２には、情報処理装置１２と画像処理装置１４との間での処理の実行分担が記述されていてもよい。具体的には、例えば、情報処理装置１２の利用に供される処理記述情報６２は、処理の分担先（処理の要求先）となる画像処理装置１４の識別子や名称などを含んでいてもよい。また、画像処理装置１４の利用に供される処理記述情報６２は、処理の分担先（処理の要求元）となる画像処理装置１４の識別子や名称などを含んでいてもよい。
【００２６】
そして、処理記述情報生成部３４が、Ｓ１０５に例示する処理で生成される処理記述情報６２を出力する（Ｓ１０６）。本処理例では、処理記述情報生成部３４は、例えば、図７（ａ）に例示する処理記述情報６２を情報処理装置１２の処理記述情報記憶部３６に出力して、図７（ｂ）に例示する処理記述情報６２を第２の画像処理装置１４−２に（例えば、ＳＯＡＰのメッセージとして）出力する。そして、第２の画像処理装置１４−２は、情報処理装置１２の処理記述情報生成部３４から受け付ける処理記述情報６２を第２の画像処理装置１４−２の処理記述情報記憶部４２に出力する。このように、情報処理装置１２の処理記述情報記憶部３６や、画像処理装置１４の処理記述情報記憶部４２は、処理記述情報６２を記憶する。また、本実施形態では、例えば、処理指定情報により指定される一連の処理の一部を構成する処理記述情報６２同士は、要求処理識別子６４により関連づけられる。
【００２７】
このようにして、本実施形態では、情報処理装置１２の処理記述情報記憶部３６や、各画像処理装置１４の処理記述情報記憶部４２に、その装置が実行すべき処理が記述された処理記述情報６２が記憶される。
【００２８】
そして、情報処理装置１２の処理実行部３８や、画像処理装置１４の処理実行部４４が、利用者から、処理の実行要求（例えば、要求処理識別子６４に関連づけられた処理の実行要求）を受け付けると、上述のようにして決定された処理の実行分担に従って、要求された処理を互いに分担して実行する。例えば、情報処理装置１２の処理実行部３８は、装置指定情報により指定される画像処理装置１４が実行可能な処理に応じた、処理指定情報により指定される一連の処理のうち情報処理装置１２で実行すべき処理を実行する。また、画像処理装置１４の処理実行部４４は、装置指定情報により指定される画像処理装置１４が実行可能な処理に応じた、処理指定情報により指定される一連の処理のうち画像処理装置１４で実行すべき処理を実行する。
【００２９】
本実施形態では、具体的には、例えば、第２の画像処理装置１４−２が備えるスキャナが、原稿の入力を受け付けると、第２の画像処理装置１４−２の処理実行部４４が、その原稿のスキャン、スキャンにより生成された画像のノイズの除去、ノイズが除去された画像に対するＯＣＲ処理（画像はＯＣＲ処理により文書情報に変換される。）、ＯＣＲ処理がされた文書情報のＰＤＦへの変換、の順に処理を実行して、ＰＤＦに変換された文書情報を情報処理装置１２へ出力する。そして、情報処理装置１２の処理実行部３８が、第２の画像処理装置１４−２から出力された文書情報を予め定められたファイルサーバ内のフォルダに出力する。このように、本実施形態では、例えば、情報処理装置１２の処理実行部３８は、情報処理装置１２の処理記述情報記憶部３６に記憶されている処理記述情報６２の記述に従って、また、画像処理装置１４の処理実行部４４は、画像処理装置１４の処理記述情報記憶部４２に記憶されている処理記述情報６２の記述に従って、互いに分担して処理を実行する。また、本実施形態では、情報処理装置１２は、例えば、装置指定情報により指定される装置である第２の画像処理装置１４−２に対して、処理指定情報により指定される処理の少なくとも一部の実行を指示するとともに、処理指定情報により指定される処理の残部を実行する。
【００３０】
上述の処理例では、情報処理装置１２が第２の画像処理装置１４−２と分担して処理を実行する流れの一例を示した。なお、上述のＳ１０２に例示する処理において、指定情報取得部３０が、上述の処理指定情報と、第１の画像処理装置１４−１を指定する装置指定情報を含む指定情報を取得してももちろん構わない。
【００３１】
この場合、上述のＳ１０３に例示する処理において、特定情報取得部３２が、例えば、第１の画像処理装置１４−１から、第１の画像処理装置１４−１の特定情報記憶部４０に記憶されている、図６（ａ）に例示する特定情報５６を取得する。
【００３２】
そして、上述のＳ１０４に例示する処理において、処理記述情報生成部３４が、例えば、第１の画像処理装置１４−１から取得した特定情報５６に基づいて、第１の画像処理装置１４−１において、スキャン、ノイズ除去が実行可能であるということを判断して、この判断結果に基づいて、スキャン、ノイズ除去については、第１の画像処理装置１４−１で実行して、ＯＣＲ処理、ＰＤＦ変換、フォルダ出力については、情報処理装置１２で実行するということを決定する。
【００３３】
そして、上述のＳ１０５に例示する処理において、処理記述情報生成部３４が、例えば、図８に例示する２つの処理記述情報６２を生成する。図８は、処理記述情報６２のデータ構造の一例を示す図である。図８（ａ）は、情報処理装置１２の利用に供される処理記述情報６２（例えば、ＯＣＲ処理、ＰＤＦ変換、フォルダ出力を記述する処理記述情報６２）のデータ構造の一例を示しており、図８（ｂ）は、第１の画像処理装置１４−１の利用に供される処理記述情報６２（例えば、スキャン、ノイズ除去を記述する処理記述情報６２）のデータ構造の一例を示している。
【００３４】
そして、上述のＳ１０６に例示する処理において、処理記述情報生成部３４が、例えば、図８（ａ）に例示する処理記述情報６２を情報処理装置１２の処理記述情報記憶部３６に出力して、図８（ｂ）に例示する処理記述情報６２を第１の画像処理装置１４−１に出力する。そして、第１の画像処理装置１４−１は、情報処理装置１２の処理記述情報生成部３４から受け付ける処理記述情報６２を第１の画像処理装置１４−１の処理記述情報記憶部４２に出力する。
【００３５】
この場合、第１の画像処理装置１４−１が備えるスキャナが、原稿の入力を受け付けると、第１の画像処理装置１４−１の処理実行部４４が、その原稿のスキャン、スキャンにより生成された画像のノイズの除去、の順に処理を実行して、ノイズが除去された画像を情報処理装置１２へ出力する。そして、生成されたＰＤＦ文書を情報処理装置１２へ出力する。そして、情報処理装置１２の処理実行部３８が、第１の画像処理装置１４−１から出力された画像を受け付けて、その画像に対するＯＣＲ処理、ＯＣＲ処理がされた画像（画像はＯＣＲ処理により文書情報に変換される。）のＰＤＦへの変換、ＰＤＦに変換された文書情報の予め定められたファイルサーバ内のフォルダへの出力、の順に処理を実行する。
【００３６】
なお、本発明は上記実施形態に限定されるものではない。
【００３７】
例えば、情報処理システム１０は、処理指定情報により指定される処理を、複数の画像処理装置１４と分担して（すなわち、３台以上の装置で分担して）実行するようにしてもよい。また、情報処理システム１０は、画像処理装置１４以外の装置（例えば、高速演算装置など）を含んでいてもよい。そして、情報処理装置１２が高速演算装置などと分担して処理指定情報により指定される処理を実行してもよい。
【００３８】
また、処理記述情報６２が、実行すべき一連の処理の実行順序を示していてもよい。そして、情報処理システム１０は、処理指定情報により指定される処理を、処理記述情報６２に記述された実行順序に従って実行するようにしてもよい。
【００３９】
また、上述のＳ１０１に例示する処理の開始前に、予め、処理記述情報生成部３４が、指定情報に含まれる可能性がある処理指定情報（処理内容表示部４８に表示される処理の内容を示す処理内容情報でもよい）と指定情報に含まれる可能性がある装置指定情報との組合せ（すなわち、処理と装置との取り得る組合せ）に基づいて、その組合せに対応する処理記述情報６２を予め生成してもよい。そして、処理記述情報生成部３４が、予め、生成された処理記述情報６２を、その処理記述情報６２に対応する処理と装置との組合せに関連づけて、情報処理装置１２の処理記述情報記憶部３６や、画像処理装置１４の処理記述情報記憶部４２に記憶してもよい。
【符号の説明】
【００４０】
１０  情報処理システム、１２  情報処理装置、１４  画像処理装置、２０  制御部、２２  記憶部、２４  ユーザインタフェース（ＵＩ）部、２６  通信部、３０  指定情報取得部、３２  特定情報取得部、３４  処理記述情報生成部、３６  処理記述情報記憶部、３８  処理実行部、４０  特定情報記憶部、４２  処理記述情報記憶部、４４  処理実行部、４６  処理指定画面、４８  処理内容表示部、５０  ラジオボタン、５２  指定フォーム、５４  処理記述情報生成ボタン、５６  特定情報、５８  機能名情報、６０  実行可否情報、６２  処理記述情報、６４  要求処理識別子、６６  実行処理対応機能名情報。
【図１】
2011022835.tif 000003
【図２】
2011022835.tif 000004
【図３】
2011022835.tif 000005
【図４】
2011022835.tif 000006
【図５】
2011022835.tif 000007
【図６】
2011022835.tif 000008
【図７】
2011022835.tif 000009
【図８】
2011022835.tif 000010